(57)【要約】【課題】  本発明の課題は、記録媒体に記録可能な領域を確保する場合に、古い映像データを完全に削除するのではなく、出来るだけ過去の映像情報を保持することに関する。【解決手段】  映像記録再生装置にデータ変換部を搭載し、記録済みの映像データに対して、画質あるいはフレームレートを下げることで映像のデータサイズを削減し、記録媒体に記録可能な領域を確保する。【選択図】  図１
2011019141.tif 000002
【特許請求の範囲】
【請求項１】
１台以上の撮像装置から取り込んだ映像を記録媒体に記録する記録部と、
前記撮像装置からの映像、もしくは前記記録部で前記記録媒体に記録した映像を、拡大又は縮小する拡大縮小部と、
前記拡大縮小部で生成した少なくとも１つ以上の映像を、同一画面上に配置し、表示装置に表示する表示制御部と、
を備える映像記録再生装置であって、
前記記録部によって前記記録媒体に記録された映像の、画質あるいはフレームレートを変換することで前記映像のデータサイズを低減するデータ変換部を備え、
前記記録部は、前記データ変換部で変換前の映像を、前記記録媒体から削除し、
前記データ変換部で変換後の映像を、前記記録媒体に記録することを特徴とした映像記録再生装置。
【請求項２】
請求項１に記載の映像記録再生装置であって、前記記録部は、
前記変換前の映像を前記記録媒体の記録領域から削除し、前記変換前の映像が記録されていた領域に前記変換後の映像を記録することを特徴とした映像記録再生装置。
【請求項３】
請求項１あるいは請求項２に記載の映像記録再生装置であって、前記記録部は、
前記変換前の映像を前記記録媒体の記録領域から削除し、前記変換前の映像が記録されていた領域に前記撮像装置からの映像を記録することを特徴とした映像記録再生装置。
【請求項４】
請求項１から３のいずれか一項に記載の映像記録再生装置であって、
前記記録媒体に記録された映像に重要度を設定する重要度設定部を備え、
前記データ変換部は、前記重要度設定部で設定した重要度に応じて、画質あるいはフレームレートを低減する値を定め、前記値に応じてデータ変換を行うことを特徴とした映像記録再生装置。
【請求項５】
請求項４に記載の映像記録再生装置であって、
前記撮像装置からの映像あるいは前記記録媒体に記録された映像に、検知処理を行う検知部を備え、
前記重要度設定部は、前記検知部の結果に基づいて、前記映像に重要度を設定することを特徴とした映像記録再生装置。
【発明の詳細な説明】
【技術分野】
【０００１】
映像監視システムなどで用いる、映像記録再生装置に関する。
【背景技術】
【０００２】
本技術分野の背景技術として、例えば、特開２００２−３４４８７９号公報（特許文献１）がある。該公報には、「記録に必要な空き領域を確保するために操作者がどの記録済み映像データを削除すべきか選択し判断する必要があり、また必要な空き領域を計算して必要な分だけ記録済み映像データを削除することは操作が煩雑であり操作性の向上が課題である。」とし、解決手段として、「映像データを記録する手段を具備し、記録時に空き領域から記録を開始し、空き領域が一定量以下に達したら記録済みデータの古い順に自動的に削除することで空き領域を確保してから記録する。」という技術が開示されている。
【先行技術文献】
【特許文献】
【０００３】
【特許文献１】公開番号  特開2002-344879号公報
【発明の概要】
【発明が解決しようとする課題】
【０００４】
しかしながら特許文献１では、空き領域を確保するために、古い映像データを削除してしまうため、該当する映像データの情報は全て失ってしまう。
【課題を解決するための手段】
【０００５】
映像記録再生装置にデータ変換部を搭載し、古い映像データを完全に削除するのではなく、該当する映像データの画質あるいはフレームレートを下げることで映像のデータサイズを削減し、記録媒体に記録可能な領域を確保する。
【発明の効果】
【０００６】
過去の映像情報をより長く記録しておくことができる。
【図面の簡単な説明】
【０００７】
【図１】本発明の第１実施例を説明するためのブロック図である。
【図２】データ量の削減例を示す図である。
【図３】本発明の第２実施例を説明するためのブロック図である。
【図４】データに重要度をつけた場合のデータ量の削減例を示す図である。
【図５】本発明の第３実施例を説明するためのブロック図である。
【発明を実施するための形態】
【０００８】
以下、本発明の一実施の形態について図面を参照しながら説明する。
【実施例１】
【０００９】
図１は、本実施例を実行するためのブロック図の一例である。109は撮像装置、110は表示装置、100は映像記録再生装置を示しており、映像記録再生装置100は、信号圧縮部101、信号伸張部102、拡大縮小部103、表示制御部104、CPU105、記録再生制御部106、記録媒体107、データ変換部108で構成されている。映像記録再生装置100の各ユニットはCPU105によって制御される。
【００１０】
映像信号が撮像装置109から入力され、映像を記録する場合は、信号圧縮部101で入力された映像信号を圧縮符号化して記録再生制御部106から記録媒体107にデータを送信し記録する。記録媒体107に記録した映像を再生する場合は、記録再生制御部106が記録媒体107から再生するデータを読み出し、信号伸張部102で映像信号を伸張する。映像信号を表示装置110に表示する場合は、撮像装置109からの映像信号あるいは、信号伸張部102からの映像信号を、拡大縮小部103で拡大あるいは縮小を行い、表示制御部104で1つ以上の映像データを同一画面上に配置し、表示装置110に出力する。
【００１１】
ここで、データ変換部108について説明する。例えば、既に長時間の映像を記録媒体107に記録しており、更に新しい映像を記録するためには、記録媒体107に記録可能な領域を確保する必要がある場合、一番古い映像から削除して記録領域を確保する方法が特許文献１に記載されている。それに対し本発明では、データ変換部108で、記録媒体107に記録している映像に、解像度など画質の低減、あるいはフレームレートの低減を行うことで映像データのデータサイズを削減し、記録可能な領域を確保する。図２を用いて具体的に説明する。201は記録媒体107に記録されている映像データ群を示しており、長さはデータサイズを示している。また、201-1〜nは映像データ群を構成する各映像データを示している。ここで、記録媒体107の記録済みの任意領域を記録可能な領域にする必要が出た場合、古い映像データから順に削除すると202で示すようにn-1より古い映像データは完全に削除されてしまう。それに対して、203に示すように各映像データの画質やフレームレートを削減することで、記録可能な領域を確保した場合、各映像データが持っていた個々の情報量は減少してしまうが、より過去の情報を保持しておく事が可能となる。なお、データの変換処理を行うために必要な一時的な記録領域は、記録媒体107の記録領域を利用しても良いし、映像記録再生装置100内にデータ変換処理用の記録領域を搭載しても良い。また、データサイズを削減したことでできた記録媒体107の記録可能な領域に、データ変換によって作成した変換後の映像データを記録しても良いし、撮像装置109からの映像データを記録しても良い。データサイズの削減については、データ変換部で映像を再エンコードしても良いし、間引くことでフレームレートを下げても良い。
【００１２】
以上より、本発明を用いれば、削除対象の映像を完全に削除することなく、記録可能な領域を確保することができ、より過去の情報を保持しておく事が可能となる。
【実施例２】
【００１３】
次に、映像に重要度を設定するための重要度設定部を映像記録再生装置に搭載した場合について図３、図４を用いて説明する。図３に本実施例を説明するためのブロック図を示す。101〜110のユニットは図１と同様であり、300は映像記録再生装置を示す。301は記録媒体107に記録された映像データに対して、重要度を設定する重要度設定部である。重要度は随時設定可能で、設定した重要度は、映像データのメタデータに組み込んでも良いし、CPUで管理しても良い。
【００１４】
図４を用いて映像に重要度を設定した場合の映像データの削減について説明する。なお、図の概要は図２と同じであり、重要度の低い映像データを404、重要度の高い映像データを405-1、405-2として斜線で示している。実施例１同様に、記録媒体107の記録済みの領域から任意の領域を削除する必要が出た場合に、402に示すように古い映像から順に削除した場合、重要度の高い映像データ405-1は削除されてしまい、重要度の高い映像データ405-2も大部分が削除されてしまう。それに対して、本発明では映像に重要度を設定し、重要度の高い映像を出来るだけ保持するように動作する。図４の403を用いて説明する。403では、まず重要度の低い映像データ404を削除し、後は重要度の高い映像データから削除必要な分のデータサイズだけを削減している。これにより重要度の高い映像データ405-1及び405-2を優先的に保持している。なお、データサイズの削除については、ただ単に重要な映像データを削除不可能な設定にするよりも、変化の少ない映像であればフレームレートを下げる、低画質で十分な映像であれば解像度を下げるなど、映像データ毎に設定を行うことで、柔軟なデータ量の削減に対応できる。
【００１５】
以上より、映像に重要度を設定することで、重要度の高い映像データを優先的に保持しておく事が可能となる。
【実施例３】
【００１６】
次に、更に映像記録再生装置に検知部を搭載した場合について説明する。図５に本実施例を説明するためのブロック図を示す。101〜110、301のユニットは図３と同様であり、500は映像記録再生装置を示す。501は撮像装置109からの映像データ、あるいは記録媒体107からの映像データに対して、検知処理により動体の有無、あるいは顔の有無などを検知する検知部である。検知した結果に基づいて、重要度設定部301で映像に重要度を設定する。こうすることで、動体あるいは顔などを検知した映像データを、検知していない映像データよりも重要度を高くし、優先的に記録媒体107に保持しておくことが出来る。
【００１７】
例えば人通りの少ない場所を監視する状況下で、検知部で動体検知処理を行う場合、動体を検知した映像データは、動体を検知していない映像データと比べて重要度は高くなると考えられる。よって動体を検知した映像データを検知していない映像データに対して重要度を高くするように設定しておくことで、動体を検知した映像データは自動的に重要度が高くなり、優先して保持しておく事ができる。
【００１８】
このように、映像データを解析して重要度を定めるための機能を映像記録再生装置に搭載することで、状況に応じて重要であると考えられる映像データの重要度を自動的に高くする事ができ、優先的に保持しておくことができる。
【００１９】
なお、本発明は上記した実施例に限定されるものではなく、様々な変形例が含まれる。例えば、上記の実施例では、説明を簡単にするため撮像装置を1台としたが、複数台接続してもよく、カメラ毎に重要度を設定することも考えられる。また、上記した実施例以外の方法で、映像データ量の低減を行っても良い。また、検知部の機能として、動体の検知と顔の検知を実施例としてあげたが、検知する内容は上述した検知に限らない。また、映像記録再生装置が備えるユニットは、本発明を分かりやすく説明するために詳細に説明したものであり、説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００２０】
100・・・映像記録再生装置
101・・・信号圧縮部
102・・・信号伸張部
103・・・拡大縮小部
104・・・表示制御部
105・・・CPU
106・・・記録再生制御部
107・・・記録媒体
108・・・データ変換部
109・・・撮像装置
110・・・表示装置
201・・・記録されている映像データ
201-1〜201-n・・・映像データ
202・・・古い映像から順に削除した場合に残る映像データ
203・・・発明手法を用いた場合に残る映像データ
300・・・映像記録再生装置
301・・・重要度設定部
401・・・記録されている映像データ
402・・・古い映像から順に削除した場合に残る映像データ
403・・・発明手法を用いた場合に残る映像データ
404・・・重要度の低い映像データ
405-1，405-2・・・重要度の高い映像データ
500・・・映像記録再生装置
501・・・検知部
【図１】
2011019141.tif 000003
【図２】
2011019141.tif 000004
【図３】
2011019141.tif 000005
【図４】
2011019141.tif 000006
【図５】
2011019141.tif 000007